(57)【要約】【課題】金属アレルギーを起こさないピアスを提供すること【解決手段】ピアス１０は、一端がヒンジピン１３で回動可能に連結された第１の弧状体１１と第２の弧状体１２とを備えている。第１の弧状体１１は弧状本体１１１と弧状本体１の先端に配置する係止雄部１４とを備えている。第２の弧状体１２の先端には係止雌部１５を配置する。係止雄部１４は軸１４１と軸１４１に樹脂材を被覆して形成する樹脂層１４２とからなり、先端部にフック部１４３と係止凹部１４４を形成する。係止雌部１５には突起部１５１を設けて係止凹部１４４に係止可能に配置する。また、係止雌部１５に、フック部１４３の第２の弧状体１２の内周側への進入を防止するストッパ壁１５２を形成する。ストッパ壁１５２には、フック部１４３を挟持するストッパ面１５２ａを形成する。【選択図】図２
0003152978.tif 000002
【実用新案登録請求の範囲】
【請求項１】
それぞれ元部がヒンジ結合により連結され、先端部が相互に係止可能に構成される第１の弧状体及び第２の弧状体を有して構成されるピアスであって、
前記第１の弧状体は、
弧状本体と、
前記弧状本体の先端部から突出して人体の一部を挿通するものであり、軸部と前記軸部に樹脂材を接合して形成された樹脂層とを備える係止雄部と、
を備えて構成され、
前記係止雄部は、先端側に配設されたフック部と、前記フック部の元部側に配設された係止凹部とを備え、
前記第２の弧状体の先端部には、前記係止凹部に係止可能な突起部を備えて、前記係止雄部を受け入れる係止雌部が配設されていることを特徴とするピアス。
【請求項２】
前記係止雌部には、前記係止雄部の進入を防止するためのストッパ壁部が配設され、前記ストッパ壁部の前記係止雄部に当接するストッパ面が、前記係止雄部のフック部を間にして前記係止雌部の突起部と反対側に形成されるとともに、前記係止雌部が、前記ストッパ面を含んで前記係止雄部のフック部を支持する鋭角状の挟持面を備えて形成されていることを特徴とする請求項１記載のピアス。
【請求項３】
前記係止雄部の軸部は、前記第１の弧状体の弧状本体の先端面に支持される座部と、前記樹脂層を支持する延設部とを備えて形成され、前記座部が前記第１の弧状本体の先端面にロウ付けで固着されていることを特徴とする請求項１又は２記載のピアス。
【考案の詳細な説明】
【技術分野】
【０００１】
本考案は、ピアスに関し、さらに、簡単に装着できるワンタッチピアスに関する。
【背景技術】
【０００２】
従来、ピアスには、２つに分割された部材を結合するものや掛止部を有してリング状に形成されたものがある。リング状に形成されたピアスには、例えば、特許文献１に開示されているように、２つの弧状体の一端をそれぞれヒンジ結合により連結し、他端を開閉可能に構成したワンタッチピアスがある。図９に示すように、ピアス２０は、２つに分割された一対の弧状体（第１の弧状体２１、第２の弧状体２２）の一端は、第１の弧状体２１に配置されたヒンジピン２３に第２の弧状体２２が軸支されることにより連結され、第１の弧状体２１の先端には、係止凹部２４１を有するフック部材２４が配置され、第２の弧状体２２の先端には、係止凹部２４１に係止する突起部２５を有して形成されている。第２の弧状体２２には、内周面に、フック部材２４が挿入可能な溝部２２１が形成され、フック部材２４は、第２の弧状体２２の先端面から溝部２２１内に挿入して係止凹部２４１に突起部２５が係止することによって、第１の弧状体２１が、第２の弧状体２２と連結して、ピアス２０を閉じるようにしていた。
【０００３】
これにより、一対の弧状体２１、２２を開いた状態で、例えば、耳に近づけ、フック部材２４を耳に挿通させた後、第２の弧状体２２の溝部内に押し込むにより容易にピアス２０を閉じて固定することができ、ワンタッチピアスとして構成されていた。
【先行技術文献】
【特許文献】
【０００４】
【特許文献１】特開２００１−８７０１４公報
【考案の概要】
【考案が解決しようとする課題】
【０００５】
しかし、このピアス２０の場合、第１の弧状体２１のフック部材２４が、第２の弧状体２２の溝部２２１内に挿入する際、フック部材２４を無理矢理押し込むことにより、フック部材２４が撓んで、係止凹部２４１が第２の弧状体２２の突起部２５に干渉して、溝部２２１内より内側に進入してしまうことがある。これが繰り返されると、フック部材２４が変形してピアス２０の開閉を確実に行うことができない虞があった。そのため、フック部材２４を強度の高い金属製の材料で形成することになっていた。
【０００６】
金属製のフック部材２４は、ピアス２０を装飾する部位、例えば、人の耳たぶを挿通するものであるから、長時間、耳たぶに挿通しておくことにより、耳部に金属アレルギーを起こさせることとなって、使用者に対して異常をきたすことがあった。そのため、装着する人にアレルギーを起こさせないピアスを提供することが望まれていた。
【課題を解決するための手段】
【０００７】
本考案は、上述の課題を解決するものであり、使用者の装着する部位に優しいピアスを提供することを目的とするものであり、本考案に係るピアスは、以下のように構成するものである。すなわち、
請求項１記載の考案では、それぞれ元部がヒンジ結合により連結され、先端部が相互に係止可能に構成される第１の弧状体及び第２の弧状体を有して構成されるピアスであって、
前記第１の弧状体は、弧状本体と、前記弧状本体の先端部から突出して人体の一部を挿通するものであり、軸部と前記軸部に樹脂材を接合して形成された樹脂層とを備える係止雄部と、を備えて構成され、前記係止雄部は、先端側に配設されたフック部と、前記フック部の元部側に配設された係止凹部とを備え、前記第２の弧状体の先端部には、前記係止凹部に係止可能な突起部を備えて、前記係止雄部を受け入れる係止雌部が配設されていることを特徴とするものである。
【０００８】
請求項２記載の考案は、請求項１の考案に係るものであって、前記係止雌部には、前記係止雄部の進入を防止するためのストッパ壁部が配設され、前記ストッパ壁部の前記係止雄部に当接するストッパ面が、前記係止雄部のフック部を間にして前記係止雌部の突起部と反対側に形成されるとともに、前記係止雌部が、前記ストッパ面を含んで前記係止雄部のフック部を支持する鋭角状の挟持面を備えて形成されていることを特徴としている。
【０００９】
請求項３記載の考案は、請求項１又は２の考案に係るものであって、前記係止雄部の軸部は、前記第１の弧状体の弧状本体の先端面に支持される座部と、前記樹脂層を支持する延設部とを備えて形成され、前記座部が前記第１の弧状本体の先端面にロウ付けで固着されていることを特徴としている。
【考案の効果】
【００１０】
本考案に係るピアスは、請求項１記載の考案によれば、一端がヒンジ結合されて、他端を接近離隔可能に構成している。一方の第１の弧状本体の先端には、係止雄部が第２の弧状体側に向かって突出するように配設されて、第２の弧状体に配設された係止雌部に係止可能に構成されている。係止雄部は、軸部に樹脂層を接合して形成されているから、係止雄部を、例えば、人の耳部に挿通しても、金属アレルギーとなって異常をきたすことはない。
【００１１】
また、請求項２の考案によれば、第２の弧状体の係止雌部には、第１の弧状体の係止雄部の進入を所定位置で停止させるストッパ壁部が形成されている。このストッパ壁部のストッパ面が、係止雄部のフック部の係止凹部を係止する突起部と、係止雄部を間にして反対側に配設され、フック部を鋭角状に挟持する挟持面として形成されているから、係止雄部が、ストッパ壁部を越えて、第２の弧状体の内周部に進入することはない。また、第２の弧状体の内側方向に向かって移動しないことは、係止雄部を無理矢理押し込むことにより変形する状態を防止できることから、従来、金属製で形成されていた係止雄部を樹脂層で形成することができ、例えば、耳部に金属アレルギーを起こさないで済むことになる。
【００１２】
請求項３の考案によれば、係止雄部の軸部を弧状本体に固着する際、軸部の取付け面積を延設部より大きくすることができることから、その周りをロー付けして接合することにより、係止雄部を弧状本体から外れ難くすることができる。
【図面の簡単な説明】
【００１３】
【図１】本考案におけるピアスの実施形態を示す正面図である。
【図２】図１のピアスを開いた状態に配置する正面断面図である。
【図３】図１のピアスを閉じた状態に配置する一部正面断面図である。
【図４】図１における第１の弧状体を示す一部斜視図である。
【図５】第１の弧状体の先端面を示す図である。
【図６】図１における係止雄部を示す拡大正面図である。
【図７】第２の弧状体を示す一部斜視図である。
【図８】第２の弧状体を示す図である。
【図９】従来のピアスを示す一部正面断面図である。
【考案を実施するための最良の形態】
【００１４】
次に、本考案におけるピアスの実施形態を図面に基づいて説明する。以下に示すピアスは、一対の弧状体の一端をヒンジ結合により連結して、一対の弧状体をワンタッチで係止可能としたものである。図１〜３に示すように、ピアス１０は、一対の弧状体（以下、第１の弧状体１１、第２の弧状体１２という）の一端をヒンジピン１３で回動可能に支持することにより連結している。つまり、実施形態の場合、第１の弧状体１１にヒンジピン１３を配置し、第２の弧状体１２をヒンジピン１３で回動可能に軸支させて構成する。もちろん、逆の場合でもよく、第２の弧状体１２に配置したヒンジピン１３に第１の弧状体１１を回動可能に軸支させてもよい。第１の弧状体１１、第２の弧状体１２は、金属製の材料、例えば、金や銀又はプラチナ、あるいは真鍮やステンレス材等で形成されるとともに、相互に内方に屈曲する湾曲状に形成され、ヒンジピン１３を中心にして他端を開閉可能に形成している。
【００１５】
図２及び図４〜５に示すように、第１の弧状体１１は、外周面に丸みを帯びた断面略矩形状に形成された弧状本体１１１を備え、弧状本体１１１の元部（第２の弧状体１２とヒンジ結合する側）に、ヒンジピン１３を有して形成されるとともに、弧状本体１１１の先端部にピアス１０が装飾される人体の箇所、例えば、耳部１の耳たぶ３を挿通する係止雄部１４が形成されている。弧状本体１１１の内周面側には、弧状本体１１１の形状に沿って溝部１１２が配置されている。溝部１１２は先端部において弧状本体１１１に遮られている。
【００１６】
係止雄部１４は、図６に示すように、元部に配置される軸部１４１と、軸部１４１の周りに樹脂材を接合して形成された樹脂層１４２と、から構成されている。軸部１４１は、大径の座部１４１ａと座部１４１ａより小径で長尺状に形成された延設部１４１ｂとからなり、座部１４１ａを弧状本体１１１の先端面にロウ付けで固着している。軸部１４１は座部１４１ａ、延設部１４１ｂとも真鍮あるいは銀等の金属材料で一体的に形成されている。なお、座部１４１ａをなくして延設部１４１ｂを弧状本体１１１の先端部に圧入で埋設させるかカシメ結合により固定してもよい。
【００１７】
樹脂層１４２は軸部１４１の延設部１４１ｂに嵌め込んだ後、接着して接合されている。樹脂層１４２は、金属アレルギーを起こさない樹脂材、例えば、ポリカーボネイトで形成されるとともに軸部１４１に対して長尺状に形成され、先端部にフック部１４３を形成している。フック部１４３の元部には係止凹部１４４が形成されている。
【００１８】
第２の弧状体１２は、図２〜図３又は図７〜８に示すように、外周面に丸みを帯びた断面略矩形状に形成され、第１の弧状体１１の元部側（弧状本体１１１とヒンジ結合する側）に、ヒンジピン１３に軸支されるとともに先端に係止雌部１５が形成されている。係止雌部１５には係止雄部１４の係止凹部１４４に係止する突起部１５１が形成される。
【００１９】
また、係止雌部１５には、係止雄部１４の係止雌部１５への進入を防止するためのストッパ壁１５２が形成され、第２の弧状体１２の内周面には、元部からストッパ壁１５２との間に、第２の弧状体１２の形状に沿った溝部１２１が形成されている。
【００２０】
係止雌部１５は、係止雄部１４のフック部１４３がストッパ壁１５２に当接することによって、係止雄部１４の第２の弧状体１２の内側への進入を防止している。つまりストッパ壁１５２には、フック部１４３が当接するストッパ面１５２ａが形成されている。ストッパ面１５２ａは、係止雌部１５内において、フック部の下面部１４３ａに当接させることにより、係止雌部１５内に進入したフック部１４３を間にして、フック部１４３を上下両面で挟持できるように形成している。つまりストッパ面１５２ａを係止雌部１５の上面１５３から鋭角となるように斜め方向に形成している。このことは、図３に示すように、係止雄部１４を耳たぶ３に挿通してピアス１０を耳部１に装着した状態で、ストッパ面１５２ａが耳たぶ３に対して略直交する方向にとなるように形成して、フック部１４３の下面側を支持することになり、フック部１４３が、第２の弧状体１２の内周側に移動することを防止することになる。
【００２１】
次に、上記のように構成されたピアス１０の作用について説明する。なお、このピアス１０は、使用者の耳部１の耳たぶ３に装着するもので説明する。つまり、耳たぶ３には、ピアス１０を装着するための孔があけられている。
【００２２】
図２に示すように、第１の弧状体１１と第２の弧状体１２とをヒンジピン１３を中心にして、それぞれの他端を開いてそれぞれ離隔した状態にする。この状態で、ピアス１０を耳たぶ３に近づけ、耳たぶ３を間にして第１の弧状体１１の係止雄部１４と第２の弧状体１２の係止雌部１５とを対向させる。耳たぶ３にあけた孔に係止雄部１４を挿通した後、図３に示すように、係止雄部１４のフック部１４３を係止雌部１５に押し込む。
【００２３】
押し込まれたフック部１４３は、係止凹部１４４が係止雌部１５の突起部１５１に係止されるとともにフック部１４３の先端がストッパ壁１５２のストッパ面１５２ａに当接してその位置で、第２の弧状体１２への進入を停止する。係止雄部１４のフック部１４３は、係止雌部１５の突起部１５１と突起部１５１から内方に延設する面及びストッパ面１５２ａにより挟持された状態にあり、ストッパ面１５２ａに支持されることによって、第２の弧状体１２の内周側に向かって移動することはない。これにより、ピアス１０は、耳部に装着されることとなる。
【００２４】
上述のように、実施形態のピアス１０では、耳たぶ３を挿通する係止雄部１４を、元部に配置する軸部１４１に樹脂層１４２を被覆して形成したことから、耳たぶに直接金属を接触させることがなく、耳たぶ３を挿通する部位に金属アレルギーを起こさせない。
【００２５】
また、第１の弧状体１１の係止雄部１４のフック部１４３を、第２の弧状体１２の係止雌部１５に押し込むように挿入する際、係止雄部１４が係止雌部１５と係止した状態で、先端部がストッパ面１５２ａに当接して、第２の弧状体１２の内周側には進入しないように構成しているから、フック部１４３を無理矢理押し込むことがなく、係止雄部１４を撓ませない。そのため、係止雄部１４を高強度の金属製でなく、樹脂材で形成することができる。これにより金属アレルギーを発生させないで、使用者に異常をきたすことなく使用することができる。
【符号の説明】
【００２６】
１、耳部
１０、ピアス
１１、第１の弧状体
１２、第２の弧状体
１３、ヒンジピン
１４、係止雄部
１５、係止雌部
１２１、溝部
１４１、軸
１４１ａ、座部
１４２、樹脂層
１４４、係止凹部
１５１、突起部
１５２、ストッパ壁
１５２ａ、ストッパ面
【図１】
0003152978.tif 000003
【図２】
0003152978.tif 000004
【図３】
0003152978.tif 000005
【図４】
0003152978.tif 000006
【図５】
0003152978.tif 000007
【図６】
0003152978.tif 000008
【図７】
0003152978.tif 000009
【図８】
0003152978.tif 000010
【図９】
0003152978.tif 000011